(57)【要約】      （修正有）【課題】クリーナー生地を重合した帯状部材を備えることにより、表示部など携帯電話機の表面に付着した油分や水を安全に払拭することができ、常に携帯電話機を綺麗に保つことができるようにした携帯ストラップを提供する。【解決手段】係脱自在に設けられる係合手段１１，１２により二つ折りされると共に内側面に携帯電話機の表示部等の表面を払拭するクリーナー生地８を重合した帯状部材６を備えてなる。【選択図】図２
0003146997.tif 000002
【実用新案登録請求の範囲】
【請求項１】
係脱自在に設けられる係合手段により二つ折りされると共に内側面に携帯電話機の表示部等の表面を払拭するクリーナー生地を重合した帯状部材を備えてなることを特徴とする携帯ストラップ。
【考案の詳細な説明】
【技術分野】
【０００１】
本考案は、携帯電話機に取り付けられる携帯ストラップに関するものである。
【背景技術】
【０００２】
従来、携帯電話機には、衣服や鞄のポケットから出し易い、落とし難いといった利便性から携帯ストラップが取り付けられている。また、該携帯ストラップはその利便性に止まらず、いろいろ自分好みの装飾品を付けファッション性を高めるなどして楽しまれている。更には、例えば特許文献１に示すように、一端に雌螺子を凹設すると共に他端に該雌螺子と螺合し得る雄螺子を凸設した単位部材が着脱自在に複数個連結して備えられ、これら単位部材ごとに異なる寺社の名称を記載したものがある。これは、寺社を巡礼する際、参拝した寺社が記載されている単位部材を順に結合させることによって、参拝の記念や証拠とすることができるようにしており、実用性に富んだものである。
【０００３】
【特許文献１】特開２００１−７００２８号公報（第３−５頁、図１、図５）
【考案の開示】
【考案が解決しようとする課題】
【０００４】
ところで、携帯電話機は手で握って操作されるものであり、また、机の上など多くの場所に置かれることから、表面に手の油分や埃が付着し易い。特に、表示部の表面に油分や水滴が付着すると、その表示部が曇って見えにくくなり、使いずらいことがある。しかも、表示部の表面に付着した油分や水を無造作に衣服の袖で擦ると重要な表示部の表面を傷つけてしまう虞がある。
【０００５】
そこで、本考案は上記課題を解決すべくなされたもので、クリーナー生地を重合した帯状部材を備えることにより、表示部など携帯電話機の表面に付着した油分や水を安全に払拭することができ、常に携帯電話機を綺麗に保つことができるようにした携帯ストラップを提供することを目的とするものである。
【課題を解決するための手段】
【０００６】
かかる目的を達成するため本考案に係る携帯ストラップは、係脱自在に設けられる係合手段により二つ折りされると共に内側面に携帯電話機の表示部等の表面を払拭するクリーナー生地を重合した帯状部材を備えてなることを特徴とする。
【考案の効果】
【０００７】
本考案に係る携帯ストラップは、係脱自在に設けられる係合手段により二つ折りされると共に内側面に携帯電話機の表示部等の表面を払拭するクリーナー生地を重合した帯状部材を備えてなるので、クリーナー生地を常に携帯電話機と一緒にしておくことができ、該携帯電話機における表示部の表面や他の部位の表面が油分や水滴で汚れた場合は、すぐにクリーナー生地により払拭して綺麗にすることができる。しかも、クリーナー生地は不使用時にあっては常に二つ折りされる帯状部材の内側面に位置するので、クリーナー生地が帯状部材の外皮により覆われて保護される。よって、クリーナー生地自体が汚れて本来の機能が十分に発揮できなっかたり、該クリーナー生地が破損するといった危険性もなく安全に保護できるという有益な効果が有る。
【考案を実施するための最良の形態】
【０００８】
以下、本考案に係る携帯ストラップの実施の形態を図面に基づき詳しく説明する。図１は本考案に係る携帯ストラップの斜視図、図２は同帯状部材を開いた状態の斜視図、図３（イ）は係止小筒部位の断面図、（ロ）は帯状部材の両端部部位の断面図である。携帯ストラップＡは、主として後記する携帯電話機Ｂの一側に設けられた掛止環部１４に挿通する吊り下げ手段としての紐部材１と帯状部材６とから構成されている。
【０００９】
前記紐部材１は、リング状に形成されると共に両端部に縛った玉が設けられている。通常、該紐部材１として、例えば伸縮しない松葉紐または伸縮自在なゴム紐が使用される。そして、該紐部材１は金属製の小さい係止小筒２に挿通される。該係止小筒２は、一端が開放される筒状に形成されており、その開口端側の胴部の両側に対向位置して通孔３，３が開設されると共に閉塞端部に透孔４が開設される。該透孔４に前記紐部材１の玉とは反対側の端部を内側から挿通する。この玉は透孔４の内径より大きい外径を有し、紐部材１が透孔４から外側へ抜けないようになっている。また、前記係止小筒２の両通孔３，３に金属製の係止リング５が挿通される。
【００１０】
前記帯状部材６は、例えば幅が約１５ｍｍ、長さが約１７０ｍｍに設定される。そして、その一側面に例えば外皮として赤色の合成皮革生地７、他側面にクリーナー生地８が配置され、その間に弾力性を有する発砲ウレタン生地９が配置される。これらは三層に重ねられ接着または縫着により一体に重合して形成される。クリーナー生地８としては、例えば超極細ポリエステル繊維により織った織物地が使用され、洗剤を使用しなくても油や埃が十分に落とせる素材が選択される。また、帯状部材６は長手方向の中央で二つ折りできるようになっており、その基端部をさらに重ねて二つ折りすると共に該重ね部１０に凸部１１ａをクリーナー生地８側に突出させた雄フック１１が串通して取り付けられる。一方、帯状部材６の先端部には、前記凸部１１ａが係脱自在に係合する凹部１２ａを同じくクリーナー生地８側に向けた雌フック１２が串通して取り付けられる。帯状部材６の前記基端部の重ね部１０には平面半円形状の連結環１３が挿通され、更に該連結環１３に前記係止リング５を挿通することにより紐部材１と帯状部材６とが連結される。
【００１１】
本考案に係る携帯ストラップＡは前記構成からなり、常態では雄フック１１の凸部１１ａを雌フック１２の凹部１２ａに係合させ、クリーナー生地８が内側に位置するようにして帯状部材６が二つ折りされている。よって、帯状部材６の外皮である合成皮革生地７が外側に露出することになり、該外皮に各種色、模様、キャラクターといった図柄を施せば携帯ストラップＡとしてファション性に優れる。
【００１２】
このように構成される携帯ストラップＡは、図４に示すように携帯電話機Ｂの一側に設けられた掛止環部１４に前記紐部材１を挿通して取り付けられる。携帯電話機Ｂは、図５に示すように本体部１５と該本体部１５の一側に軸着され該本体部１５に自在に折り畳むことができる蓋体部１６とからなり、一般にそれらケースが合成樹脂材により成形されている。
【００１３】
前記本体部１５の内側表面に、その上部に位置して各種操作ボタン１７が配置され、その下方に数字キー１８が配列されている。また、下端部に送話器１９が設けられる。一方、蓋体部１６の内側表面には上端部に受話器２０が設けられ、その下方に透明な樹脂板２１ａにより覆われる表示部２１が配置されている。そして、携帯ストラップＡを握って衣服や鞄電話のポケットから携帯電話機Ｂが容易に出し入れできるようにしており、しかも、携帯電話機Ｂを手から滑って落とさないようにしている。
【００１４】
そこで、例えば表示部２１の透明な樹脂板２１ａに手の油分が付着して汚れた場合、図５に示すように携帯ストラップＡに備えられる帯状部材６の雌雄フック１１，１２の係合を外して帯状部材６を広げ、その内側のクリーナー生地８を前記透明な樹脂板２１ａの表面に押し当てて拭くようにする。これにより、その透明な樹脂板２１ａが綺麗になり表示部２１が見易くなる。なお、表示部２１に限らず他の部位、すなわち本体部１５や蓋体部１６の表面に付着した油分や水滴を払拭するにクリーナー生地８を使用しても良い。
【００１５】
このように、本考案に係る携帯ストラップＡは、係脱自在に設けられる係合手段により二つ折りされると共に内側面に携帯電話機Ｂの表示部２１等の表面を払拭するクリーナー生地８を重合した帯状部材６を備えてなる。よって、クリーナー生地８を常に携帯電話機Ｂと一緒にしておくことができ、該携帯電話機Ｂにおける表示部２１の表面や他の部位の表面が油分や水滴で汚れた場合は、すぐにクリーナー生地８により払拭して綺麗にすることができる。
【００１６】
しかも、クリーナー生地８は不使用時には常に二つ折りされる帯状部材６の内側面に位置するので、クリーナー生地８が帯状部材６の外皮である合成皮革生地７により覆われて保護される。よって、クリーナー生地８自体が汚れて本来の機能が十分に発揮されなかったり、破損するといった危険性もなく安全に保護できる。
【００１７】
本考案にあっては、携帯ストラップＡにおける帯状部材６の係合手段として雄フック１１と雌フック１２を示したが、これに限定されるものではない。例えば、図示は省略するが、フックと該フックが着脱自在に係合する環との組み合わせ、または雌雄貼り合せファスナーなど他の係合手段であっても良いことは勿論である。
【図面の簡単な説明】
【００１８】
【図１】本考案に係る携帯ストラップの斜視図。
【図２】同帯状部材を開いた状態の斜視図。
【図３】（イ）は係止小筒部位の断面図、（ロ）は帯状部材の両端部部位の断面図。
【図４】携帯ストラップを取り付けた状態の携帯電話機の斜視図。
【図５】同使用状態を示す斜視図。
【符号の説明】
【００１９】
６                帯状部材
８                クリーナー生地
１１              係合手段（雄フック）
１２              係合手段（雌フック）
２１              表示部
Ａ                携帯ストラップ
Ｂ                携帯電話機
【図１】
0003146997.tif 000003
【図２】
0003146997.tif 000004
【図３】
0003146997.tif 000005
【図４】
0003146997.tif 000006
【図５】
0003146997.tif 000007